(57)【特許請求の範囲】
【請求項１】
スクリーン上に投影される映像コンテンツを、視聴中の観客に影響を与えることなく劣化させる盗撮防止装置であって、
可視光の長波長端よりも長波長側の赤外光により構成され、映像コンテンツを劣化させる妨害光を発生する光源装置と、
前記光源装置から出射した妨害光をライン状に配列された複数のサブビームに変換する回折格子と、
回折格子から出射した複数のサブビームを、その配列方向と直交する方向に周期的に偏向するビーム偏向手段と、
ビーム偏向手段から出射した複数のサブビームを、スクリーン上を走行するスポットとして投影する投影レンズ系とを具え、
スクリーン上に投影されている映像コンテンツを、スクリーンの横方向又は縦方向に沿って周期的に走行する複数の妨害光のスポットによりスキャンすることを特徴とする盗撮防止装置。
【請求項２】
請求項１に記載の盗撮防止装置において、前記光源装置として無数のスペックルパターンを含むレーザビームを放出するレーザ光源を用い、前記ビーム偏向手段としてポリゴンミラーを用い、スクリーン上に投影されている映像コンテンツを、無数のスペックルパターンを含むライン状に配列されたスポットにより高速スキャンすることを特徴とする盗撮防止装置。
【発明の詳細な説明】
【技術分野】
【０００１】
本発明は、スクリーン上に投影される映像コンテンツが不正にコピーされるのを防止する盗撮防止装置に関するものである。
【背景技術】
【０００２】
デジタル技術の発達に伴い、繰り返し記録再生しても画質が劣化しないデジタル記録再生装置が普及している。また、様々な映像コンテンツが記録されたＤＶＤやＣＤ等の媒体が市場で流通し販売され、さらには、各種映像コンテンツがネットワークを通じて配信されている。
【０００３】
デジタル記録再生では、記録再生を繰り返してもデータの劣化が発生しないため、オリジナルデータと同様な品質が保たれる。このようなデジタル記録再生技術の普及は、違法なコピーの氾濫を招く事になり、著作権の保護の観点より、大きな問題となっている。特に、映画館や劇場において新作の映像コンテンツが映写される場合、スクリーン上に投影される映像コンテンツがビデオカメラにより盗撮され、無断でコピーされて二次流通されることが多々存在する。このような事態は、新作の映像コンテンツの著作権が侵害され、著作権の保護の観点より大きな問題となっている。
【０００４】
映画館や劇場で映写される映像コンテンツを盗撮から防止する技術として、画像表示態様を時間的に又は空間的に切り換える方法が提案されている（例えば、特許文献１参照）。この盗撮防止技術では、映像コンテンツの画像表示態様をＲＧＢ表示とＲＧＢＹ表示とを時間的に又は空間的に切り換えている。このような表示態様の切り換えを行うことにより、スクリーン上に投影された映像コンテンツをビデオカメラで撮像した場合、フリッカや色むらを発生した画像が撮像され、盗撮を防止する上で有益である。
【０００５】
電子透かし技術を利用してスクリーン上に投影される映像コンテンツの著作権の保護を図る技術も既知である（例えば、特許文献２参照）。この既知の技術では、映像コンテンツを投影する画像表示装置とは別に著作権者の名称を投影する画像表示装置を設け、スクリーン上に投影される映像コンテンツ上に重ねて著作権者の名称が表示されている。
【特許文献１】特開２００３−３０２９６０号公報
【特許文献２】特開２００５−２６７５９号公報
【発明の開示】
【発明が解決しようとする課題】
【０００６】
上述した表示態様を切り換える方法は、盗撮画像の品質を劣化させることができ、盗撮防止の点において有益である。しかしながら、画像表示装置において、ＲＧＢ画像表示とＲＧＢＹ画像表示との間で切り換える必要があり、画像表示装置の構造が複雑化する欠点がある。しかも、入力したＲＧＢ信号からＲＧＢＹ信号を生成しなければならず、製造コストが高価になるだけでなく、信号処理回路も複雑化する欠点がある。さらに、既存の画像表示装置をそのまま使用することができず、映画館や劇場では、新たな画像表示装置を購入しなければならない不具合も指摘されている。
【０００７】
上述した特許文献２に記載の電子透かし提示装置は、スクリーン上に投影される映像コンテンツ上に重ねて著作権者の名称が表示されるため、著作権保護方法として有益な技術である。しかしながら、当該技術は、映像コンテンツ上に重ねて著作権者を表示することを目的としているため、盗撮された映像コンテンツに著作権者の名称が重ねて表示されるだけであり、盗撮防止に対しては十分な効果を発揮できないものである。
【０００８】
本発明の目的は、比較的簡単な構造で盗撮を有効に防止することができる盗撮防止装置を実現することにある。
本発明の別の目的は、映画館や劇場に設置されている既存の画像表示装置をそのまま用いて盗撮を有効に防止できる盗撮防止装置を実現することにある。
【課題を解決するための手段】
【０００９】
参考例として記載する本発明による盗撮防止装置は、スクリーン上に投影され視聴中の映像コンテンツを、視聴中の観客に影響を与えることなく劣化させる盗撮防止装置であって、
可視光の長波長端よりも長波長側の赤外光により構成され、映像コンテンツを劣化させる妨害光を発生する光源装置と、
光源装置から出射した妨害光をスクリーンに向けて投射する投影レンズ系と、
前記光源装置を駆動制御する制御手段とを具え、
前記制御手段は、光源装置から所定の周期の時間間隔で又は不定期の時間間隔で妨害光を発生させるように駆動制御し、
時間的に断続的に発生する妨害光を、スクリーンに投影される映像コンテンツ上に重ねて投影することを特徴とする。
【００１０】
一般的なビデオカメラは、色分解されたＲＧＢの各カラー光を光電変換する３個の撮像素子を有している。これら撮像素子のうち赤色光を撮像する撮像素子は、６５０ｎｍ付近の波長域にピーク感度を有し、可視域だけでなく可視光の長波長端よりも長波長側にも感度を有している。従って、可視光の長波長側の端部波長よりも長波長側の赤外光は、視聴者には視認されないが、ビデオカメラでは感受される。そこで、本発明では、上記波長域の赤外光を盗撮防止用の妨害光として利用する。盗撮防止装置からスクリーンに向けて妨害光を投射すると、妨害光はスクリーンで反射し観客空間に向けて散乱する。この結果、盗撮中のビデオカメラには、スクリーン上に投影されている映像コンテンツの画像光と共に赤外光の妨害光も入射する。ビデオカメラの赤色光を撮像する撮像素子は、妨害光である赤外光に感度を有するため、スクリーン上に妨害光が投影されると、赤の輝度信号レベルが極端に増大し、撮像される映像コンテンツは赤色が極端に強い画像となり、強い色ムラを発生する。さらに、妨害光が周期的に又は不定期で映像コンテンツに重ね合わされると、色ムラに加えて強いフリッカも発生し、視聴者に対して不快なストレスを与えることになる。従って、ビデオカメラにより盗撮された映像コンテンツは、視聴者にとって視聴に耐えない不快な画像に劣化する。この結果、たとえ盗撮されても、盗撮された映像コンテンツは、市場での販売価値が喪失し、二次流通が有効に防止される。
尚、本明細書において、「赤外光」は、可視光の長波長端よりも長波長側の近赤外及び遠赤外の赤外光も含むものである。
【００１１】
光源装置として赤外光を放出する種々の光源を用いることができ、例えばＬＥＤやレーザダイオードを用いることができる。さらに、キセノンランプやハロゲンランプとバンドパスフィルタとの組合せも利用することができる。さらに、ＬＥＤを用いる場合、複数のＬＥＤをアレイ状に配列してスクリーン上において所望の光量を確保することも可能である。また、複数のＬＥＤから出射した妨害光によりスクリーン上に複数の光スポットを形成し、制御手段により各ＬＥＤを個別に点灯制御することも可能である。この場合、スクリーン上には、時間軸上で個別に点灯する光スポットが形成されるため、ビデオカメラにより盗撮された映像コンテンツには、赤色の強いスポットが時間的及び空間的にランダムに形成され、映像コンテンツは視聴に耐えない不快な画像に劣化する。
【００１２】
参考例として記載する本発明による盗撮防止装置は、スクリーン上に投影され視聴中の映像コンテンツを、視聴中の観客に影響を与えることなく劣化させる盗撮防止装置であって、
可視光の長波長端よりも長波長側の赤外光により構成され、映像コンテンツを劣化させる妨害光を発生する光源装置と、
前記光源装置から出射した妨害光を複数の妨害ビームに変換する回折格子と、
回折格子から出射した複数の妨害ビームをスクリーン上にスポットとして投影する投影レンズ系とを具え、
スクリーン上に投影されている映像コンテンツ上に妨害光のスポットを重ねて投影することを特徴とする。
【００１３】
本発明では、光源装置から出射した妨害光を２次元回折格子によりマルチビームに変換し、投影レンズ系によりスクリーン上に多数の光スポットを形成する。この光スポットは、赤外光で構成されるため、ビデオカメラにより盗撮された映像コンテンツは、強い赤色のスポットが局所的に形成された画像となり、フリッカ及び色ムラが発生し、視聴者にとって視聴に耐えない不快な画像となる。従って、盗撮防止に極めて有効である。
【００１４】
この盗撮防止装置では、レーザ光源と２次元回折格子との組合せによりマルチビームを発生させ、スクリーン上に局所的に妨害光のスポットを形成することができる。従って、光源装置の出力容量が比較的低い場合であっても十分に対応できる利点がある。すなわち、スクリーンのほぼ全面にわたって均一な輝度の妨害光を投射する場合、相当大きい出力の光源装置を用いる必要がある。一方、当該盗撮防止装置では、スクリーン上に局所的に妨害光のスポットを形成しているので、光源装置の出力が比較的小さくても十分な効果が達成される。
【００１５】
参考例として記載する本発明による盗撮防止装置は、スクリーン上に投影され視聴中の映像コンテンツを、視聴中の観客に影響を与えることなく劣化させる盗撮防止装置であって、
可視光の長波長端よりも長波長側の赤外光により構成され、スクリーンの横方向又は縦方向と対応する第１の方向に延在するライン状の妨害光を発生する光源装置と、
妨害光をスクリーンに向けて投射する投影レンズ系と、
光源装置から出射したライン状の妨害光を第１の方向と直交する第２の方向に周期的に偏向するビーム偏向手段とを具え、
スクリーン上に投影されている映像コンテンツを、スクリーンの横方向又は縦方向に沿って周期的に走行するライン状の妨害光によりスキャンすることを特徴とする。
【００１６】
スクリーン上に投影された映像コンテンツをライン状の妨害光によりスキャンすることにより、ビデオカメラにより盗撮された映像コンテンツには縦方向又は横方向に走行する赤色の帯又は赤の強い濁色の帯が形成される。この結果、盗撮された映像コンテンツは、強いフリッカが形成され視聴者にとって視聴しがたい不快な映像コンテンツとなってしまう。従って、たとえ盗撮されても、視聴しがたい映像コンテンツしか盗撮されず、盗撮防止に有効である。
さらに、当該盗撮防止装置では、スクリーン全体にわたって妨害光を投影するのではなく、スクリーンをライン状の妨害光によりスキャンすることにより盗撮される映像コンテンツを劣化させているので、比較的小さい容量の光源装置を用いて効率良く盗撮される映像コンテンツを劣化させることができる利点が達成される。
ここで、ビーム偏向手段として各種の偏向装置を用いることができる。例えば、所定の角度範囲にわたって回動するモータを用い、モータ上に光源装置を配置してライン状の妨害光によりスキャンすることが可能である。或いは、振動ミラーやポリゴンミラー等の回転ミラーを用いることも可能である。
【００１７】
本発明による盗撮防止装置は、スクリーン上に投影されビデオカメラにより盗撮される映像コンテンツを、視聴中の観客に影響を与えることなく劣化させる盗撮防止装置であって、
可視光の長波長端よりも長波長側の赤外光を含む妨害光を発生する光源装置と、
前記光源から出射した妨害光をライン状に配列された複数のサブビームに変換する回折格子と、
回折格子から出射した複数のサブビームを、その配列方向と直交する方向に周期的に偏向するビーム偏向手段と、
ビーム偏向手段から出射した複数のサブビームを、スクリーン上を走行するスポットとして投影する投影レンズ系とを具え、
スクリーン上に投影された映像コンテンツを、スクリーンの横方向又は縦方向に沿って周期的に走行する複数の妨害光のスポットによりスキャンすることを特徴とする。
【００１８】
当該盗撮防止装置では、スクリーンに投影される映像コンテンツを複数の妨害光のスポットによりスキャンしているので、一層少ない光量の妨害光で盗撮される映像コンテンツを有効に劣化させることが可能である。
【００１９】
本発明による盗撮防止装置の好適実施例は、光源装置として無数のスペックルパターンを含むレーザビームを放出するレーザ光源を用い、前記ビーム偏向手段としてポリゴンミラー（回転多面鏡）を用い、スクリーン上に投影された映像コンテンツを、無数のスペックルパターンを含むライン状の妨害光又はライン状に配列されたスポットによりスキャンすることを特徴とする。ポリゴンミラーは複数のミラーを高速で回転させるため、スクリーンに投影された映像コンテンツ上をライン状に投影された妨害光又は妨害光のスポットが高速で走行することになる。この結果、盗撮される映像コンテンツには無数のフリッカが形成され、視聴に耐えない映像に劣化される。
【００２０】
参考例として記載する本発明による盗撮防止装置は、スクリーン上に投影され観客空間に位置するビデオカメラにより撮影される映像コンテンツを、視聴中の観客に影響を与えることなく劣化させる盗撮防止装置であって、
映像コンテンツが投影されるスクリーンに隣接するように配置され、可視光の長波長端よりも長波長側の赤外光を含む妨害光を発生する光源装置と、
光源装置から出射した妨害光をスクリーン側から観客空間に向けて投射する投影レンズ系と、
前記光源装置から出射した妨害光を周期的に偏向するビーム偏向手段とを具え、
前記観客空間に位置しスクリーン上に投影された映像コンテンツを撮影しているビデオカメラに妨害光が周期的に入射するように構成したことを特徴とする。
【００２１】
盗撮防止装置をスクリーン側に配置し、スクリーン側から観客空間に向けて妨害光を投射すれば、盗撮防止装置から出射した妨害光が盗撮中のビデオカメラに直接入射するので、容量の小さい光源装置を用いて有効に盗撮を防止することが可能になる。この結果、光源装置の選択の範囲が拡がる利点が達成される。
【００２２】
本発明による盗撮防止装置の好適実施例は、光源装置と、投影レンズ系と、ビーム偏向手段とをユニット化して複数の盗撮防止ユニットを設け、各盗撮防止ユニットの投影レンズ系の焦点距離をそれぞれ相違させ、各盗撮防止ユニットは、観客空間の奥行き方向に沿ってそれぞれ異なる位置に向けて妨害光を投影することを特徴とする。
【発明の効果】
【００２３】
本発明では、時間的に又は空間的に変化する妨害光をスクリーンに投影される映像コンテンツに重ねて投影しているので、たとえ映像コンテンツが盗撮されても、盗撮された映像コンテンツは視聴に耐えないほど劣化している。この結果、盗撮を有効に防止することができる。また、スクリーン側から観客空間に位置するビデオカメラに妨害光を直接投射しているので、比較的小さい容量の光源装置を用いて盗撮を有効に防止することができる。
さらに、本発明の盗撮防止装置は、既存の画像表示装置をそのまま用いて盗撮を防止しているので、劇場や映画館に設置された画像表示装置をそのまま利用することが可能である。
【発明を実施するための最良の形態】
【００２４】
図１は本発明による盗撮防止装置の一例を示す線図である。映像コンテンツ出力装置１から出力された映像コンテンツ情報は、例えばＲＧＢの三原色プロジェクタで構成される画像表示装置２に供給される。画像表示装置２からＲＧＢの各映像光が出射し、スクリーン３に向けて投影され、スクリーン３上にカラー画像の映像コンテンツが表示される。ＲＧＢの映像光は、スクリーン３で反射し、観客空間に入射し観客により視聴される。観客がビデオカメラ４を用いてスクリーン上に投影される映像コンテンツを撮像すれば、スクリーン上に投影される映像コンテンツは盗撮されることになる。
【００２５】
本発明による盗撮防止装置は、スクリーン上に投影される映像コンテンツを、視聴中の観客に影響を与えることなく劣化させることにより盗撮を防止する。すなわち、スクリーン上に投影される映像コンテンツがビデオカメラにより撮像されても、盗撮された映像コンテンツの品質が視聴に耐えない程度に劣化されれば、盗撮された映像コンテンツの経済的な価値が消滅し、盗撮が有効に防止される。本発明による盗撮防止装置は、スクリーン上に投影される映像コンテンツの品質を劣化させるための妨害光を発生する光源装置５を有し、光源装置から出射した妨害光は投影レンズ系６を介してスクリーン３上に投影される。光源５には制御回路７が接続され、制御回路７により光源を駆動制御する。スクリーン３上に投影された妨害光は、スクリーン３により反射し、観客空間に向けて散乱する。従って、盗撮中のビデオカメラ４には映像コンテンツの画像光と共に妨害光も入射する。制御回路７は、投影される妨害光の光量が時間的に変化するように光源５を制御する。
【００２６】
図２は、人間の眼の分光感度特性及び一般的なビデオカメラに用いられている撮像素子の分光感度特性を示すグラフである。図２において、実線はＲＧＢの撮像素子の分光感度特性を示し、一点鎖線は人間の眼の分光感度特性を示す。人間の眼は、３８０ｎｍ付近に可視域の短波長側の端部が位置し、６８０ｎｍ付近に可視域の長波長側の端部が位置する。一方、ＲＧＢの３個の撮像素子を用いるビデオカメラの場合、一般的に、Ｂの撮像素子は４５０ｎｍ付近に最高感度を有し、Ｇの撮像素子は５５０ｎｍ付近に最高感度を有し、Ｒの撮像素子は６５０ｎｍ付近に最高感度を有している。そして、Ｒの撮像素子は、８００ｎｍを超える波長域まで感度を有している。従って、波長が６８０ｎｍを超える赤外光、近赤外光及び遠赤外光は、人間の眼には検出されないが、ビデオカメラ４により検出されることになる。そこで、本発明では、可視光の長波長端よりも長波長側の赤外光を妨害光として利用する。妨害光を発生する光源装置として可視光の長波長端よりも長波長側の波長光を放射する各種の光源を用いることができ、例えばＬＥＤやレーザダイオードを用いることができる。さらに、キセノンランプやハロゲンランプ等の各種ランプとバンドパスフィルタとの組合せも用いられる。
【００２７】
映像コンテンツが投影されているスクリーン上に、妨害光が重ねて投射されても、視聴者は正常な映像コンテンツを視認し、視聴者に不具合を与えることはない。一方、盗撮用のビデオカメラの撮像素子に注目するに、妨害光が入射してもＧ及びＢの波長光を撮像する撮像素子に入射する光量は変化しないため、映像コンテンツにより規定される輝度信号が出力される。一方、Ｒの波長光を光電変換する撮像素子には、映像コンテンツの画像光に加えて赤外域の多量の妨害光も入射する。このため、Ｒの波長光を光電変換する撮像素子から極端に高いレベルの輝度信号が出力されることになる。この結果、盗撮された映像コンテンツは、赤色の強い画像に変化し、著しい色ムラが形成され、劣化した映像となる。さらに、妨害光の強度が時間的に変化すると、盗撮された映像コンテンツは、著しいフリッカが発生し、視聴に耐えない劣化画像に変化する。この結果、たとえ盗撮されても、盗撮された映像は視聴に耐えないほど劣化しているため、二次流通するのが防止される。
【００２８】
光源装置として、例えば複数のＬＥＤを配列したアレイを用いることもできる。この場合、各ＬＥＤ素子を個別に間欠的に点灯すれば、スクリーン上に投影される映像コンテンツに強いフリッカが発生する。また、各ＬＥＤ素子から出射する赤外光を投影レンズ系によりスポットとしてスクリーン上に投影すれば、スクリーン上に投影されている映像コンテンツは、強い赤色のスポットで空間的に変調された映像となる。また、光源装置として、単一の光源を用いることもでき、この場合光源は所定の時間間隔で又は不定期の時間間隔で妨害光を放射して盗撮された映像コンテンツを劣化させることができる。
【００２９】
図３は本発明の別の盗撮防止装置の構成を示すものであり、図３（Ａ）はスクリーンの上方から見た線図的平面図、図３（Ｂ）は妨害光の発生状況を示す線図的斜視図である。尚、図１で用いた部材と同一の部材には同一符号を付して説明する。本例では、光源装置として赤外域のレーザビームを放出するレーザ１０を用いる。レーザ１０から放出されたレーザビームは、コリメータレンズ１１により拡大平行光束に変換され、２次元回折格子１２に入射する。レーザビームは、２次元回折格子１２により複数のサブビームに変換され、複数のサブビームは投影レンズ系６を介してスクリーン３上にスポットとして投影される。スクリーン３上の各スポットは、赤外光により構成されるので、視聴者には感受されないが、ビデオカメラにより受光される。この結果、盗撮された映像コンテンツは、強い赤色のスポットにより空間的に変調された映像とされることにより映像劣化してしまう。
【００３０】
図４は本発明の別の盗撮防止装置の構成を示すものであり、図４（Ａ）はスクリーンの上方から見た線図的平面図、図４（Ｂ）は盗撮防止装置から出射した妨害光のスクリーンへの入射状態を示す線図的斜視図である。本例では、光源装置として、赤外光を放出する複数のＬＥＤ素子を鉛直方向に配列したＬＥＤアレイ２０と反射鏡２１との組合せを用いる。ＬＥＤアレイ２０と反射鏡２１との光源装置から、鉛直方向（スクリーンの縦方向に対応する）に延在するライン状の妨害ビームが出射し、当該ライン状の妨害ビームは投影レンズ系６を介してスクリーン３上にライン状のスポットとして投影される。ＬＥＤアレイ２０、反射鏡２１、及び投影レンズ系６はフレーム２２内に収納され、光源ユニットとしてユニット化される。当該光源ユニットは、図４（Ｂ）に示すように、モータ２３の回転軸に連結したステージ２４上に配置する。
【００３１】
モータ２３は、所定の角度範囲にわたって往復回動する。モータ２３の往復回動により、スクリーン上に投影されたライン状のスポットは、スクリーン３の横方向に沿って往復回動し、スクリーンに投影されている映像コンテンツは、スクリーンの縦方向に延在する赤外光のライン状スポットによりスキャンされることになる。この結果、ビデオカメラにより盗撮された映像コンテンツは、周期的に走行する強い赤色の帯により劣化した映像となる。尚、本例では、スクリーンの縦方向に延在するライン状の妨害ビームによりスクリーンを横方向にスキャンする構成としたが、スクリーンの横方向に延在する妨害ビームを用い、スクリーンの縦方向にスキャンすることも可能である。
【００３２】
図５は本発明の盗撮防止装置の構成を示す図であり、図５（Ａ）はスクリーンの上方から見た線図的平面図、図５（Ｂ）は盗撮防止装置から出射した妨害光のスクリーンへの入射状態を示す線図的斜視図である。本例では、光源装置として、赤外光を放出するレーザ３０を用いる。レーザ３０から放出されたレーザビームは、コリメータレンズ３１により拡大平行光束に変換され、１次元回折格子３２に入射する。レーザビームは、１次元回折格子３２によりほぼ鉛直方向（スクリーン３の縦方向と対応する）に配列された複数のサブビームに変換される。これら複数のサブビームは、ポリゴンミラー（回転多面鏡）３３に入射し、スクリーンの横方向と対応する方向に沿って高速偏向され、投影レンズ系６を介してスクリーン３上に投影される。スクリーン３上には、縦方向に配列された複数の円形のスポットが投影され、これらのスポットは横方向にそって高速で走行する。従って、スクリーン３上に投影されている映像コンテンツは、複数の赤外光の円形スポットにより高速スキャンされることになる。この結果、ビデオカメラにより盗撮された映像コンテンツは、画面の横方向に沿って高速で走行する強い赤色のスポットによりスキャンされ、視聴に耐えない映像に劣化する。尚、本例では、複数のスポットによりスクリーンの横方向に沿ってスキャンする構成としたが、スクリーンの横方向にそって配列された複数のスポットによりスクリーンの縦方向にスキャンすることも可能である。
【００３３】
図６は本発明による盗撮防止装置の構成を示す図である。本例では、スクリーン側から観客空間に向けて妨害光を投射し、盗撮中のビデオカメラに妨害光を周期的に投射する。スクリーン３と隣接するように、例えば第１〜第３の妨害光発生ユニット４０ａ〜４０ｃを配置し、各妨害光発生ユニットから観客空間に向けて妨害光を投射する。各妨害光発生ユニット４０ａ〜４０ｃは、ライン状の赤外光を発生する光源と、ライン状の赤外光をその延在方向と直交する方向に偏向する偏向手段と、ライン状の赤外光を観客空間に向けて投影する投影レンズ系とをユニットとして構成する。各妨害光発生ユニットの投影レンズ系の焦点距離はそれぞれ相違する。妨害光発生ユニット４０ａ〜４０ｃから出射する妨害光は、観客空間において縦長のスポット４１ａ〜４１ｃを形成する。観客空間は、スクリーン３から相当長い奥行きを有するため、観客空間を例えば３つの領域に分け、３台の妨害光発生装置により分担させる。第１の妨害光発生装置４０ａは、スクリーンに一番近い領域に向けて妨害光を投影し、第２の妨害光発生装置４０ｂは奥行き方向の中間の領域に向けて妨害光を投影し、第３の妨害光発生装置はスクリーンから一番離れた領域に向けて妨害光を投影する。各妨害光発生装置は、ほぼ鉛直方向に延在するライン状の妨害光を放出し、偏向手段によりその延在方向と直交する方向（水平方向）に周期的に偏向する。妨害光の偏向方法として、例えば光源及び投影レンズ系等を含むユニットをモータ上に配置し、モータを周期的に回動させることにより偏向することができる。
【００３４】
盗撮中のビデオカメラがスクリーンに近い第１の領域に位置する場合、第１の妨害光発生装置４０ａから投影される妨害光が周期的に当該ビデオカメラに入射するため、盗撮される映像コンテンツは、横方向にそって濃い赤色の帯が走行する劣化した映像となってしまう。同様に、盗撮中のビデオカメラが観客空間の中間領域及び一番遠い領域に位置する場合、第２及び第３の妨害光発生装置４０ｂ及び４０ｃから投影される帯状の妨害光が周期的に入射し、同様に横方向にそって濃い赤色の帯が周期的に走行する劣化した映像となってしまう。尚、妨害光を発生する光源としてレーザ光源と回折格子との組合せを用い、偏向手段としてポリゴンミラーを用いることも可能である。この場合、盗撮される映像コンテンツは、高速で走行する赤色のスポットが重畳された映像となり、視聴に耐えないほど劣化した映像となる。
【図面の簡単な説明】
【００３５】
【図１】本発明による盗撮防止装置の一例を示す線図である。
【図２】視聴者の眼の分光感度特性及びビデオカメラの分光感度特性を示すグラフである。
【図３】本発明による盗撮防止装置を示す図である。
【図４】本発明による盗撮防止装置を示す図である。
【図５】本発明による盗撮防止装置を示す図である。
【図６】本発明による盗撮防止装置を示す図である。
【符号の説明】
【００３６】
１  映像コンテンツ出力装置
２  画像表示装置
３  スクリーン
４  ビデオカメラ
５  光源装置
６  投影レンズ系
７  制御回折
１０  レーザ光源
１１，３１  コリメータレンズ
１２  ２次元回折格子
２０  ＬＥＤアレイ
２１  反射鏡
２２  フレーム
２３  モータ
２４  ステージ
３０  レーザ
３１  コリメータレンズ
３２  １次元回折格子
３３  ポリゴンミラー
４０ａ〜４０ｃ  妨害光発生ユニット
４１ａ〜４１ｃ  縦長のスポット
【図１】
0005161655.tif 000002
【図２】
0005161655.tif 000003
【図３】
0005161655.tif 000004
【図４】
0005161655.tif 000005
【図５】
0005161655.tif 000006
【図６】
0005161655.tif 000007